(57)【要約】      （修正有）【課題】スマートフォンや小物などを収納し、軽量に、美しい見た目で、ベルト通しの無い衣服でも使用できるウエストバッグを提供する。【解決手段】面ファスナー３、４を使用したテグス製腰ベルト２に、背部にテグスを使用したベルト通し５を付けたファスナー７付きの収納ケース６を取り付け、軽量に身に付ける事が可能なスマートフォンおよび小物等用軽量ウエストバッグを造る。【選択図】図２
0003199214.tif 000002
【実用新案登録請求の範囲】
【請求項１】
スマートフォンなどのＩＴ機器および小物などを収納して身に付けるウエストバッグ
で、線状材の両端に面ファスナーを取り付けて、線状材、面ファスナーのどちらかに収
納袋をもうけ、収納袋の背部にベルトを取り付けられる構成を有する事を特徴とするウ
エストバッグ
【請求項２】
線状材は、テグスである事を特徴とする請求項１のウエストバッグ
【請求項３】
テグスを使用したベルト通しで、収納袋の背面にベルトを取り付けられる構成を特徴
とする請求項１または、請求項２に記載のウエストバッグ
【請求項４】
収納袋の一面は導電性の透明材料であることを特徴とする請求項１ないし請求項３の
いずれかに記載のウエストバッグ
【考案の詳細な説明】
【技術分野】
【０００１】
本考案は、携帯・保持する袋およびベルトに関する物で、線状材と面ファスナーを使
用したベルトに、背部にベルト通しを付けた収納袋を取り付け、スマートフォンおよび
小物などを収納袋に収納し軽量に身に付ける事を可能にする袋、ベルトに係わる。
【背景技術】
【０００２】
最近、携帯電話・スマートフォンなどのＩＴ機器の生活道具としての導入と共に、電
話・メールなどの通信手段として使われる頻度は急速に増加している。
これらの機器の利便性は、これらを導入する以前に比し利便性の点で生活機能を一変さ
せる程、画期的な物である。
通常これらの機器の着信は、振動あるいは音楽などによって知る事が出来るが、男女共
に機器を手元から離れる頻度の多いかばんに入れておくと、着信を見逃す場合が極めて
多い。
男性では体に密着したポケットなどに入れて着信の有無を容易に認知しうるが、女性の
場合服装的に常にポケットなどに入れておく事は困難で着信の事実を見逃す場合が少な
くない。
また、従来スマートフォンおよび小物などを身に付ける方法には、布製のウエストバ
ッグを使用したり、衣服用のベルトにベルト通し付きのバッグを取り付けたり、衣服の
ベルト通しにカラビナ・トリガスナップなどの付いたバッグを取り付けたりするなどが
ある。
しかし、それぞれの方法は、重かったり（布製のウエストバッグを使用する。衣服用の
ベルトにベルト通し付きのバッグを取り付ける。）、衣服にベルト通しが無かったり、不
便である上、美的感覚の観点から問題があった。
そこで、本考案はスマートフォンや小物などを収納して身に付ける装置を、軽量に、美
しい見た目で、ベルト通しの無い衣服でも使用できる様に考案したものである。
【考案の概要】
【考案が解決しようとする課題】
【０００３】
先に述べたごとく、通常これらの機器の着信は、振動あるいは音楽などによって知る
事が出来るが、男女共に機器を手元から離れる頻度の多いかばんに入れておくと、着信
を見逃す場合が極めて多い。
男性では体に密着したポケットなどに入れて着信の有無を容易に認知しうるが、女性の
場合服装的に常にポケットなどに入れておく事は困難で着信の事実を見逃す場合が少な
くないなどの課題があった。
【０００４】
また、従来スマートフォンおよび小物などを身に付ける方法には、布製のウエストバ
ッグを使用したり、衣服用のベルトにベルト通し付きのバッグを取り付けたり、衣服の
べルト通しにカラビナ・トリガスナップなどの付いたバッグを取り付けたりするなどが
あった。
しかしそれぞれの方法は重さが重く、体に負担がかかる上、美的感覚の観点から問題が
あると云う課題があった。
【０００５】
また、衣服にベルト通しが無い場合、カラビナ・トリガスナップなどの付いたバッグ
を取り付ける事は不可能であり、不便であると云う課題があった。
【課題を解決するための手段】
【０００６】
本考案は、線状材と面ファスナーを使用したベルトに、背部にベルト通しを付けた収
納袋を取り付け、スマートフォンおよび小物などを収納袋に収納し軽量に身に付ける事
を可能にした。
【考案の効果】
【０００７】
本考案のスマートフォンおよび小物など用軽量ウエストバッグのベルト部分は、線状
材の両端に面ファスナーを付ける事によって、軽量であり、また長さの調節が可能とな
っている。
【０００８】
スマートフォンおよび小物などを収納する収納袋部分の背部には線状材のベルト通し
が付けられており、軽量である事を可能にしている。
【０００９】
スマートフォンおよび小物などを収納する収納袋部分の上部の開口部はファスナーな
どで開け閉め出来、収納物をスムーズに取り出すことが可能である。
【００１０】
スマートフォンおよび小物などを収納する収納袋部分は、中に仕切りがあり、その他
の物を収納するのが可能である。
【００１１】
スマートフォンおよび小物などを収納する収納袋部分は、スマートフォンを収納する
場合は、導電性の透明樹脂を使用し、収納袋に入れたままスマートフォンの操作が可能
である。
小物などを収納する場合は、この限りではない。
【００１２】
バッグ背部の線状材のベルト通しに本考案のベルトを通し、腰に装着する事で、ベル
ト通しの無い衣類において、軽量の収納袋を使用する事を可能とする。
【００１３】
本考案のスマートフォンおよび小物など用軽量ウエストバッグ構造によれば、ベルト
部分、収納袋部分の背部のベルト通しに線状材を使用しており、軽量である事を可能に
している。
また、ベルト通しの無い衣類において、本考案のウエストバッグ構造のベルトを装着す
る事によって、軽量ウエストバッグを身に付ける事を可能にしている。
また、収納袋部分の上部の開口部はファスナーなどで開け閉め出来、収納物をスムーズ
に取り出すことが可能である。
また、収納袋部分の中に仕切りがあり、その他の物を収納するのが可能である。
また、スマートフォンを収納する場合は、導電性の透明のナイロン、ポリエチレンなど
を使用し、収納袋に入れたままスマートフォンの操作が可能である。
【図面の簡単な説明】
【００１４】
【図１】本願考案の、スマートフォンおよび小物など用軽量ウエストバッグ構造に使用する装置の正面図である。
【図２】本願考案の、スマートフォンおよび小物など用軽量ウエストバッグ構造に使用する装置の裏面図である。
【考案を実施するための形態】
【００１５】
以下、本考案のスマートフォンおよび小物など用軽量ウエストバッグ構造をその実施
の最良の形態について図面に示す実施例に基づいて具体的に説明する。
【００１６】
図１は、本考案の実施例を示すものであり、スマートフォンおよび小物など用軽量ウ
エストバッグ本体１の正面図である。テグス製腰ベルト2の両端に面ファスナー３、４
を取り付けて、面ファスナー４に収納ケース本体６を取り付けた。
【００１７】
スマートフォンおよび小物など収納ケース本体６の上部の開口部にファスナー７を付
け開け閉め出来、収納物をスムーズに取り出すことが可能である。
収納袋８は、スマートフォンを収納する場合は、導電性を有するナイロン又はポリエチ
レンなどの透明樹脂を使用し、収納袋８に入れたまま操作が可能である。
スマートフォンおよび小物などの収納ケース本体６の中は、中を２，３スペースに分け
る仕切り９によってその他の物を収納するのが可能である。
【００１８】
本実施例は、テグスを使用した実施例を書いているが、テグスに限定されず、ひもな
どを使用しても良い。
また、本実施例は、ファスナーを使用した実施例を書いているが、ファスナーに限定さ
れず面ファスナーなどを使用しても良い。
また、本実施例は、面ファスナーに収納袋を取り付けているが、テグス製腰ベルトに取
り付けても良い。
また、本実施例は、収納袋の背面にテグスを使用した輪をもうけて、ベルトを通す構造
になっているが、テグスに限定されず、ひもを使用しても良い。
【符号の説明】
【００１９】
１・・・スマートフォンおよび小物など用軽量ウエストバッグ本体
２・・・テグス製腰ベルト
３・・・面ファスナー
４・・・面ファスナー
５・・・テグス製ベルト通し
６・・・スマートフォンおよび小物など収納ケース本体
７・・・ファスナー
８・・・収納袋
９・・・中を２、３スペースに分ける仕切り
【図１】
0003199214.tif 000003
【図２】
0003199214.tif 000004